(57)【要約】【課題】換気量を調整することのできる屋根裏の換気構造を得る。【解決手段】建物１１の換気経路は、外壁パネル３０の上端と笠木４０との間に形成された笠木通気路４５と、外壁パネル３０内に形成された壁体内通気路３６とを備えており、屋根裏２５と屋外とを連通している。外壁パネル３０の上端背面には、換気口３５が設けられている。そして、外壁パネル３０の上端に配置されている上枠ランナ３４の下面には、換気口３５の開口面積を調整する換気ダンパ機構５５が取り付けられている。換気ダンパ機構５５は、アクチュエータ６０と換気ダンパ本体６１とを備えている。換気ダンパ本体６１は、温度センサ７１Ａ，７１Ｂ及び湿度センサ７２Ａ，７２Ｂから検出された各検出情報に基づいて制御装置７０によりアクチュエータ６０を介して開度制御されるようになっている。これにより、換気口３５の開口面積を調整することができる。【選択図】図１
2008285914.tif 000002
【特許請求の範囲】
【請求項１】
表面と裏面とが屋外空間に面している壁体を介して、当該屋外空間と屋根裏とを連通することにより屋根裏を換気する屋根裏の換気構造であって、
前記壁体内には、前記屋外空間と前記屋根裏とを連通する通気路が形成されており、前記通気路の流路面積の大きさを調整する調整手段が備えられていることを特徴とする屋根裏の換気構造。
【請求項２】
前記壁体の上端には、笠木部材が設けられ、
前記調整手段は、前記壁体のうち前記笠木部材に覆われている部位に設けられている請求項１に記載の屋根裏の換気構造。
【請求項３】
前記調整手段は、開閉体を備えており、
前記開閉体の開度調整に伴って前記流路面積の大きさが調整される請求項１又は２に記載の屋根裏の換気構造。
【請求項４】
前記開閉体は、形状記憶合金を含んで構成されており、
前記形状記憶合金に所定以上の温度が加わるか否かによって前記開閉体の開度が調整される請求項３に記載の屋根裏の換気構造。
【請求項５】
前記調整手段は、
環境情報を検出する環境センサと、
前記流路面積の大きさを調整する開閉体を前記環境情報に基づいて制御する制御装置と、
を備えていることを特徴とする請求項１乃至３のいずれかに記載の屋根裏の換気構造。
【請求項６】
前記環境センサは、前記屋根裏の温度を検出する温度センサを含み、
前記制御装置は、所定以上の前記屋根裏の温度が検出された場合に、前記流路面積が拡大するように前記開閉体を制御するものである請求項５に記載の屋根裏の換気構造。
【請求項７】
前記環境センサは、前記屋根裏の湿度を検出する湿度センサを含み、
前記制御装置は、所定以上の前記屋根裏の湿度が検出された場合に、前記流路面積が拡大するように前記開閉体を制御するものである請求項５又は６に記載の屋根裏の換気構造。
【請求項８】
前記環境センサは、前記屋根裏の温度を検出する温度センサと前記屋根裏の湿度を検出する湿度センサとを含み、
前記制御装置は、所定以上の前記屋根裏の温度が検出された場合又は所定以上の前記屋根裏の湿度が検出された場合に、前記流路面積が拡大するように前記開閉体を制御し、所定未満の前記屋根裏の温度が検出されかつ所定未満の前記屋根裏の湿度が検出された場合に、前記流路面積が縮小するように前記開閉体を制御するものである請求項５に記載の屋根裏の換気構造。
【発明の詳細な説明】
【技術分野】
【０００１】
本発明は、屋根裏の換気構造に関する。
【背景技術】
【０００２】
住宅等の建物では、外気温と屋根裏温度とに温度差があった場合、屋根裏内に結露が発生することがある。このため、従来、結露の発生を抑制するために屋根裏において換気が行われる。
【０００３】
具体的には、例えば上端にパラペット部を有する外壁を備えた建物では、外壁の上端部に笠木を取り付け、この外壁の上端部と笠木との間に屋外と外壁内とを連通し外気が通気可能な通気路を設けるとともに、外壁と屋根裏との間に通気孔を設けることによって、屋根裏を換気する換気構造が知られている（例えば、特許文献１参照）。
【０００４】
これによれば、外気は、笠木と外壁との間の通気路から外壁内の空間に流入し、通気孔を通って屋根裏に到達することが可能となる。また、屋根裏に滞留している熱気や湿気も通気路を通って建物の屋外に排出することが可能となる。その結果、好適に屋根裏を換気できるものとされている。
【特許文献１】特開２００５−１９４８１６号公報
【発明の開示】
【発明が解決しようとする課題】
【０００５】
しかしながら、上記従来の技術では、屋外の気象状況によっては屋根裏の換気が十分にされなかったり、換気が過度にされたりする。このため、不安定な換気によって屋根裏内に結露が発生したり冷暖房効率の低下を招いたりするおそれもあり、改善の余地があると考えられる。
【０００６】
本発明は、上記事情に鑑みてなされたものであり、換気量を調整することのできる屋根裏の換気構造を提供することを主たる目的とするものである。
【課題を解決するための手段】
【０００７】
本発明は、上記課題を解決するために、以下の手段を採用した。
【０００８】
手段１．表面と裏面とが屋外空間に面している壁体を介して、当該屋外空間と屋根裏とを連通することにより屋根裏を換気する屋根裏の換気構造であって、
前記壁体内には、前記屋外空間と前記屋根裏とを連通する通気路が形成されており、前記通気路の流路面積の大きさを調整する調整手段が備えられていることを特徴とする屋根裏の換気構造。
【０００９】
手段１によれば、調整手段によって壁体内に形成されている通気路の流路面積の大きさが調整される。このため、屋根裏に流入する空気量や屋根裏内に滞留している空気の排出量を調整することができる。すなわち、屋根裏の換気量を調整することができる。
【００１０】
その結果、仮に流路面積を拡大して屋根裏の換気に必要な換気量を確保するようにすれば、屋根裏内の結露の発生を抑制することが可能となる。また、屋外の湿度が極めて高い場合には、仮に流路面積を縮小して換気量を抑えるようにすれば、屋根裏内への湿気の浸入を抑制することも可能となる。これにより、屋根裏の結露の発生を抑制することができる。
【００１１】
また、冬期において過度の換気により屋根裏が冷却された場合、室内の暖房が非効率となり暖房エネルギーを無駄に消費する。このような場合には流路面積を縮小するようにすれば、そのような不都合を解消することが可能となる。その結果、屋根裏内の結露の発生を抑制しつつ、室内の快適性を確保することができる。
【００１２】
手段２．前記壁体の上端には、笠木部材が設けられ、
前記調整手段は、前記壁体のうち前記笠木部材に覆われている部位に設けられている手段１に記載の屋根裏の換気構造。
【００１３】
手段２によれば、調整手段が壁体のうち笠木部材に覆われている部位に設けられているため、調整手段に例えば雨水や塵埃等が付着することを抑制することが可能となる。その結果、調整手段の長寿命化を図ることができる。
【００１４】
手段３．前記調整手段は、開閉体を備えており、
前記開閉体の開度調整に伴って前記流路面積の大きさが調整される手段１又は２に記載の屋根裏の換気構造。
【００１５】
手段３によれば、開閉体の開度調整に伴って流路面積の大きさが調整される。このため、複雑な調整手段を必要とせず、比較的簡易な構成によって流路面積の大きさを調整することができる。
【００１６】
手段４．前記開閉体は、形状記憶合金を含んで構成されており、
前記形状記憶合金に所定以上の温度が加わるか否かによって前記開閉体の開度が調整される手段３に記載の屋根裏の換気構造。
【００１７】
手段４によれば、開閉体を構成する形状記憶合金に所定以上の温度が加わるか否かによって開閉体の開度が調整される。このため、温度条件によって開閉体の開度を調整することができる。したがって、例えば夏期において屋根裏内に滞留している熱気を排出させたい場合、所定以上の温度が開閉体に加わったときに流路面積を拡大するようにすれば、それを容易に実現することが可能となる。
【００１８】
手段５．前記調整手段は、
環境情報を検出する環境センサと、
前記流路面積の大きさを調整する開閉体を前記環境情報に基づいて制御する制御装置と、
を備えていることを特徴とする手段１乃至３のいずれかに記載の屋根裏の換気構造。
【００１９】
手段５によれば、調整手段には環境センサと制御装置とが備えられており、この制御装置によって環境センサにより検出された環境情報に基づいて開閉体が制御され、流路面積の大きさが調整される。これにより、屋根裏の換気レベルを高度に管理して屋根裏内に発生する結露を抑制するなどの各種効果が期待できる。
【００２０】
手段６．前記環境センサは、前記屋根裏の温度を検出する温度センサを含み、
前記制御装置は、所定以上の前記屋根裏の温度が検出された場合に、前記流路面積が拡大するように前記開閉体を制御するものである手段５に記載の屋根裏の換気構造。
【００２１】
手段６によれば、温度センサによって所定以上の屋根裏温度が検出された場合には、制御装置によって流路面積が拡大するように開閉体が制御される。これにより、例えば屋根裏内に熱気が滞留しているような場合に、その熱気を積極的に屋外に排出することが可能となる。
【００２２】
手段７．前記環境センサは、前記屋根裏の湿度を検出する湿度センサを含み、
前記制御装置は、所定以上の前記屋根裏の湿度が検出された場合に、前記流路面積が拡大するように前記開閉体を制御するものである手段５又は６に記載の屋根裏の換気構造。
【００２３】
手段７によれば、湿度センサによって所定以上の屋根裏湿度が検出された場合には、制御装置によって流路面積が拡大するように開閉体が制御される。これにより、例えば屋根裏内に湿気が滞留しているような場合に、その湿気を積極的に屋外に排出することが可能となる。
【００２４】
手段８．前記環境センサは、前記屋根裏の温度を検出する温度センサと前記屋根裏の湿度を検出する湿度センサとを含み、
前記制御装置は、所定以上の前記屋根裏の温度が検出された場合又は所定以上の前記屋根裏の湿度が検出された場合に、前記流路面積が拡大するように前記開閉体を制御し、所定未満の前記屋根裏の温度が検出されかつ所定未満の前記屋根裏の湿度が検出された場合に、前記流路面積が縮小するように前記開閉体を制御するものである手段５に記載の屋根裏の換気構造。
【００２５】
手段８によれば、温度センサにより所定以上の屋根裏温度が検出された場合又は湿度センサにより所定以上の屋根裏湿度が検出された場合には、制御装置によって流路面積が拡大するように開閉体が調整され、所定未満の屋根裏温度が検出されかつ所定未満の屋根裏湿度が検出された場合には、流路面積が縮小するように開閉体が制御される。このため、例えば夏期において屋根裏内に滞留している熱気を積極的に排出することができるだけでなく、冬期においても屋根裏内に滞留している湿気を積極的に排出することができ、１年を通して好適に換気することが可能となる。
【発明を実施するための最良の形態】
【００２６】
以下に、本実施形態について図面を参照しつつ説明する。図１は本実施形態における屋根裏の換気構造を示す縦断面図、図２は屋根裏の換気構造を備えた外壁パネル群を示す斜視図である。本実施形態は、パラペット部を上端部に有する外壁パネルを備えた陸屋根の建物に適用したものである。なお、建物は例えば鉄骨軸組工法により構築されている。
【００２７】
図１に示すように、建物１１は、軽量鉄骨を組み立ててなる建物本体２０と、その建物本体２０の上端よりも上方へ突出するようにその外周面に取り付けられる外壁パネル３０とを備えている。その外壁パネル３０の上方への突出部位がパラペット部３７となっている。
【００２８】
建物本体２０は、上下方向に延びる柱２１が所定間隔をおいて複数設けられ、これら柱２１にはその上端に架け渡されるようにして水平方向に延びる複数の梁２２がボルト４２により連結されることにより構築されている。
【００２９】
梁２２の上端部には、ＡＬＣ２３が設けられている。ＡＬＣ２３と、このＡＬＣ２３の下方に離間して設けられた天井２４との間には、屋根裏２５が形成されている。
【００３０】
建物１１の断熱性能を高めるために、ＡＬＣ２３の上面には、ポリスチレンホームにより構成された断熱材２６Ａが設けられている。また、天井２４の上面には、グラスウールにより構成された厚さ１５０ｍｍの断熱材２６Ｂが設けられている。さらに、外壁パネル３０の背面には、梁２２の下方位置においてイソシアヌレートフォームにより構成された厚さ５５ｍｍの断熱材２６Ｃが設けられている。
【００３１】
断熱材２６Ａの上面には、陸屋根２８から建物本体２０内への雨水の浸入を防止する防水シート２７が設けられている。なお、図１においては、図示の便宜上、防水シート２７は実際の厚さ寸法よりも厚く示されている。
【００３２】
一方、外壁パネル３０は、外壁板３１とその背面（屋内側）に取り付けられて外壁板３１を支持する支持フレーム３２とを備えている。図２に示すように、支持フレーム３２は、外壁板３１の幅方向両端において上下方向に延びる一対のスタッド３３と、これら両スタッド３３の上端を結んで水平に延びる上枠ランナ３４と、両スタッド３３の下端を結んで水平に延びる下枠ランナ（図示略）とを備えている。一対のスタッド３３、上枠ランナ３４及び下枠ランナは、いずれも溝形鋼により構成されている。上枠ランナ３４は、略水平に延びるウェブ３４ａと、その両側端から下方へ延びる屋外側フランジ３４ｂ及び屋内側フランジ３４ｃを有している。その他の一対のスタッド３３及び下枠ランナも、同様に、ウェブ及びフランジから構成されている。一対のスタッド３３は、開口部が互いに向き合うようにして外壁板３１に取り付けられている。同様に、上枠ランナ３４及び下枠ランナは、開口部が互いに向き合うようにして外壁板３１に取り付けられている。
【００３３】
一対のスタッド３３には、屋内側フランジ３４ｃよりも下方に離間した位置において架け渡されるように、防水シート２７の下地となる防水下地２９が取り付けられている。
【００３４】
防水下地２９は、その上端から屋内側へ略水平に延びる水返し部２９ａを有している。水返し部２９ａは、後述する笠木４０の屋内側延出板部４０ｃの下端位置よりも上方に位置しており、笠木４０に覆われている。これにより、屋内側延出板部４０ｃとパラペット部３７との間の笠木通気路４５から浸入しようとする雨水は、水返し部２９ａに当って、笠木通気路４５の奥方向への浸入が抑制されるようになっている。
【００３５】
また、防水シート２７の先端部は、パラペット部３７と陸屋根２８との境界に形成される角部を介して、防水下地２９の水返し部２９ａの下面に至るまで延びている。これにより、外壁パネル３０（パラペット部３７）の背面及び外壁パネル３０と陸屋根２８との継目において雨水の浸入が抑制されるようになっている。
【００３６】
隣接する外壁パネル３０の間には、防水下地２９に取り付けられた防水シート２７が剥れ落ちないように、隣接する防水下地２９に跨るように背面からジョイントピース５０が取り付けられている（図２参照）。ジョイントピース５０は縦断面Ｌ字状をなし、防水下地２９の上端の水返し部２９ａよりなる角部に取り付けられている。そして、防水下地２９の表面とジョイントピース５０とを覆うように防水シート２７が取り付けられている。なお、防水下地２９に予め防水シート２７を貼り付けて、その防水シート２７の背面からジョイントピース５０を取り付けてもよい。
【００３７】
外壁パネル３０（パラペット部３７）の上端には、その上端を覆うようにアルミ製の笠木４０が取り付けられている。なお、笠木４０はアルミ製に限定されず、他の金属製や合成樹脂製であってもよい。笠木４０は、アルミ板を折り曲げるか又は引き抜き成形することにより形成されている。具体的には、笠木４０は、外壁パネル３０（パラペット部３７）の壁厚よりも幅広で略水平に延びる水平板部４０ａと、その水平板部４０ａの両側端から下方へ延びる屋外側延出板部４０ｂ及び屋内側延出板部４０ｃとを有している。
【００３８】
次に、屋根裏２５の換気構造について説明する。
【００３９】
笠木４０は、その内面と外壁パネル３０（パラペット部３７）の外周面との間に隙間が形成された状態で外壁パネル３０に設けられている。これにより、笠木４０と外壁パネル３０（パラペット部３７）との間には、外気が通気可能な笠木通気路４５が形成されている。
【００４０】
上枠ランナ３４の屋内側フランジ３４ｃは、屋外側フランジ３４ｂよりも短尺に形成されている。これにより、屋内側フランジ３４ｃと防水下地２９との間には、外気が笠木通気路４５を介して外壁パネル３０内へ通気可能な換気口３５が形成されている。
【００４１】
梁２２のウェブには、その延びる方向に所定間隔をおいて複数の梁通気孔２２ａが形成されている。したがって、外壁パネル３０内（より詳細には支持フレーム３２により囲まれた空間）には、笠木通気路４５と屋根裏２５とを連通する壁体内通気路３６が形成されている。
【００４２】
したがって、屋外と屋根裏２５とが連通され、屋根裏２５が換気されるようになっている。すなわち、外気は、笠木通気路４５から換気口３５を通って壁体内通気路３６に流入し、梁通気孔２２ａを通って屋根裏２５に到達することが可能となる。また、屋根裏２５内に滞留している空気も壁体内通気路３６から笠木通気路４５を通って屋外へ到達することが可能となる。
【００４３】
外壁パネル３０の上枠ランナ３４下面には、換気口３５の開口面積の大きさを調整する換気ダンパ機構５５が設けられている。そこで、以下に、換気ダンパ機構５５の構成について詳しく説明する。
【００４４】
換気ダンパ機構５５は、ＤＣモータ等のアクチュエータ６０と、そのアクチュエータ６０によって開度調整される換気ダンパ本体６１とを備えている。換気ダンパ本体６１は、上枠ランナ３４の屋内側下面部に固定される取付板部６１ａと、その取付板部６１ａに取り付けられる可動板部６１ｂとを有している。取付板部６１ａは板状をなし、表面が上枠ランナ３４の下面に当接された状態で固定されている。可動板部６１ｂは、その基端部が取付板部６１ａの屋内側端部に取り付けられている。具体的には、可動板部６１ｂは、取付板部６１ａとの取付部位にて回動するようにヒンジにより取り付けられている。
【００４５】
可動板部６１ｂは、アクチュエータ６０の正逆回転に基づきリンク機構（図示略）を介して換気口３５の開口面積を拡大する拡大位置（図１の２点鎖線位置）と、開口面積を縮小する縮小位置（図１の実線位置）とに切替えられるようになっている。ここでは、アクチュエータ６０が正回転した際に可動板部６１ｂが拡大位置に配置され、逆回転した際に可動板部６１ｂが縮小位置に配置されるように設定されている。なお、リンク機構は、アクチュエータ６０の正逆回転に基づいて可動板部６１ｂが拡大位置と縮小位置とに切替わるように構成されている。
【００４６】
アクチュエータ６０は、制御装置７０に電気的に接続されており、制御装置７０によって正逆回転制御されるようになっている。屋根裏２５内には、天井２４の上面部に温度センサ７１Ａ及び湿度センサ７２Ａが設置され、ＡＬＣ２３の下面部に温度センサ７１Ｂ及び湿度センサ７２Ｂが設置されている。温度センサ７１Ａ，７１Ｂは温度を検出するように構成されており、特に温度センサ７１Ａは天井２４の上面部近傍の温度を検出し、温度センサ７１ＢはＡＬＣ２３の下面部近傍の温度を検出するようになっている。また、湿度センサ７２Ａ，７２Ｂは湿度を検出するように構成されており、特に湿度センサ７２Ａは天井２４の上面部近傍の湿度を検出し、湿度センサ７２ＢはＡＬＣ２３の下面部近傍の温度を検出するようになっている。
【００４７】
温度センサ７１Ａ，７１Ｂ及び湿度センサ７２Ａ，７２Ｂは、いずれも制御装置７０に電気的に接続されている。
【００４８】
制御装置７０は、周知のマイクロコンピュータを備えており、制御装置７０には、温度センサ７１Ａ，７１Ｂ及び湿度センサ７２Ａ，７２Ｂの各検出情報が入力される。具体的には、制御装置７０は、夏期（例えば５月〜１０月）においては温度センサ７１Ａ及び湿度センサ７２Ａから検出された各検出情報が入力されるように、冬期（例えば１１月〜４月）においては温度センサ７１Ｂ及び湿度センサ７２Ｂから検出された各検出情報が入力されるように制御する。そして、制御装置７０は、各検出情報に基づいて演算処理を行い、アクチュエータ６０を介して換気ダンパ本体６１を開度制御する。
【００４９】
次に、制御装置７０で実行される演算処理について説明する。図３はその演算処理の概要を示すフローチャートである。
【００５０】
まず、夏期（例えば５月〜１０月）であれば、温度センサ７１Ａ及び湿度センサ７２Ａを有効化し、冬期（例えば１１月〜４月）であれば、温度センサ７１Ｂ及び湿度センサ７２Ｂを有効化し、季節に応じて検出センサが選択される。そして、図３に示すように、ステップＳ１１では、温度センサ７１Ａ又は温度センサ７１Ｂから検出された温度情報が入力される。次にステップＳ１２では、湿度センサ７２Ａ又は湿度センサ７２Ｂから検出された湿度情報が入力される。
【００５１】
ステップＳ１３では、温度情報に基づいて屋根裏２５の温度が設定温度（５０℃）以上であるか否かを判断する。屋根裏２５の温度が設定温度（５０℃）以上であればＹＥＳと判断され、後続のステップＳ１４に進み、アクチュエータ６０を正回転させて換気口３５の開口面積を拡大する。また、既にアクチュエータ６０を正回転させて可動板部６１ｂが拡大位置にある場合には、この状態を維持する。これにより、屋根裏２５の温度が設定温度（５０℃）以上である場合に、屋根裏２５の熱気が屋外に排出される。本処理の後、ステップＳ１１に戻り、上記の演算処理を再び行う。
【００５２】
ステップＳ１３がＮＯであれば、ステップＳ１５に進み、屋根裏２５の湿度が設定湿度（８０％）以上であるか否かを判断する。屋根裏２５の湿度が設定湿度（８０％）以上であればＹＥＳと判断され、ステップＳ１４に進み、アクチュエータ６０を正回転させて換気口３５の開口面積を拡大する。また、既にアクチュエータ６０を正回転させて可動板部６１ｂが拡大位置にある場合には、この状態を維持する。これにより、屋根裏２５の湿度が設定湿度（８０％）以上である場合に、屋根裏２５に滞留している湿気が屋外に排出される。そして、本処理の後、ステップＳ１１に戻って再び上記演算処理を行う。
【００５３】
ステップＳ１５がＮＯであれば、ステップＳ１６に進み、アクチュエータ６０を逆回転させて換気口３５の開口面積を縮小する。既に可動板部６１ｂが縮小位置にある場合には、この状態を維持する。これにより、屋根裏２５の温度が設定温度（５０℃）未満でかつ湿度が設定湿度（８０％）未満の場合に換気口３５の開口面積が縮小され、通常の換気が行われる。そして、本処理の後、ステップＳ１１に戻って再び上記演算処理を行う。
【００５４】
このような一連の処理によって換気ダンパ本体６１が開度制御され、換気口３５の開口面積が調整される。
【００５５】
以上説明した構成及び作用により、本実施形態の屋根裏２５の換気構造では、以下に示す有利な効果が得られる。
【００５６】
本実施の形態では、外壁パネル３０のパラペット部３７と笠木４０との間に形成された笠木通気路４５と、外壁パネル３０内に形成された壁体内通気路３６とにより、屋根裏２５と建物１１の屋外とが連通されている。そして、パラペット部３７の上部背面に設けられた換気口３５の開口面積の大きさを調整するために、上枠ランナ３４の下面部には換気ダンパ機構５５が設けられている。このため、屋根裏２５の換気量を調整することができる。
【００５７】
本実施の形態では、アクチュエータ６０と、そのアクチュエータ６０により開度調整される換気ダンパ本体６１と、温度センサ７１Ａ，７１Ｂ及び湿度センサ７２Ａ，７２Ｂから検出された各検出情報に基づいてアクチュエータ６０を正逆回転制御する制御装置７０とを備えている。そして、屋根裏２５の温度が設定温度（５０℃）以上又は湿度が設定湿度（８０％）以上となった際に換気口３５の開口面積を拡大するように制御される。これにより、例えば夏期においては屋根裏２５内に滞留している熱気を積極的に排出でき、冬期においては屋根裏２５内に滞留している湿気を積極的に排出することができる。その結果、室内の快適性を確保しつつ屋根裏２５内の結露の発生を抑制することができる。したがって、屋根裏２５の耐久性の低下も抑制することが可能となる。
【００５８】
本実施の形態では、換気口３５は、笠木４０に覆われているため、その換気口３５への雨水の浸入を笠木４０によって阻止することができる。また、換気口３５の下方位置には、防水下地２９の水返し部２９ａが設けられており、雨水の浸入抑制効果が高められている。
【００５９】
本実施の形態では、換気ダンパ機構５５は、外壁パネル３０内に配置されているとともに笠木４０に覆われている。このため、換気ダンパ機構５５に例えば雨水や塵埃等が付着することを抑制することが可能となる。その結果、換気ダンパ機構５５の長寿命化を図ることができる。
【００６０】
以上説明した実施の形態に限らず、例えば以下に別例として示した形態で実施することもできる。なお、本実施形態と同一の構成は同一符号を付して説明を省略し、相違する構成については新たに符号を付して本実施形態との相違点を中心に説明する。
【００６１】
・上記実施の形態では、換気口３５の開口面積を調整する調整手段として、制御装置７０により換気ダンパ機構５５を開度制御する構成としたが、特定の手段に限定されることはない。例えば、換気ダンパ機構５５に替えて、所定以上の気温になった際に形状が変化することで換気口３５の開口面積の大きさを調整する形状記憶合金により構成された換気ダンパを設けてもよい。
【００６２】
具体的には、図４（ａ）に示すように、上枠ランナ８０の屋内側角部に形状記憶合金により構成された換気ダンパ８１を設けてもよい。換気ダンパ８１は、縦断面が略Ｌ字状の取付板部８１ａと、その取付板部８１ａの下端から屋内側へ斜め下方に延びる変形板部８１ｂとを有している。換気ダンパ８１は、取付板部８１ａが上枠ランナ８０の屋内側角部に当接された状態で取り付けられている。そして、換気ダンパ８１の周囲の気温が所定以上になった際に、変形板部８１ｂが笠木通気路４５の奥方向へ折れ曲がるように変形して、換気ダンパ８１の下方に位置する換気口８５の開口面積が拡大するようにしてもよい。また、換気ダンパ８１の周囲の気温が所定未満になった際に、変形板部８１ｂが元の位置に戻って、換気口８５の開口面積が縮小するようにしてもよい。ここで、例えば所定気温を５０℃に設定することで、特に夏期において屋根裏２５の熱気を積極的に排出することが可能となる。なお、換気ダンパ８１の変形板部８１ｂは、パラペット部３７の背面から屋内側に突出しているため、換気口８５への雨水の浸入抑制機能も兼用することができる。
【００６３】
・上記実施の形態では、換気口３５をパラペット部３７の背面（屋内側）に設けたが、特定の箇所に限定されることはない。
【００６４】
例えば、図４（ｂ）に示すように、パラペット部３７の上端面に配置されている上枠ランナ９０のウェブに換気口９１を設けてもよい。この場合、笠木４０の水平板部４０ａの下端面とパラペット部３７の上端面との間に、笠木４０を支持する笠木支持金具９２を設けるとよい。笠木支持金具９２は、笠木４０の水平板部４０ａの下端面に当接される当接板部９２ａと、その当接板部９２ａの下面から下方に延びる一対の垂直板部９２ｂと、一対の垂直板部９２ｂの下端から互いに離れる方向にそれぞれ延びさらにその各先端部から下方に延びてパラペット部３７の屋内外方向両面を挟持する挟持部９２ｃとを有している。そして、各垂直板部９２ｂに通気孔９２ｄを設けることにより、外気が通気孔９２ｄを介して換気口９１を通ることが可能となり、好適に屋根裏２５の換気を行うことができる。
【００６５】
なお、笠木４０とパラペット部３７の上端面との間に笠木支持金具９２を設けることで、笠木支持金具９２が換気口９１への雨水の浸入抑制機能を奏する。
【００６６】
このような場合、電磁ソレノイド９３とその電磁ソレノイド９３のオンオフ動作に基づいて水平方向にスライドする調整板部９４とを備えた換気ダンパ機構９５を上枠ランナ９０の上面に設けてもよい。具体的には、換気ダンパ機構９５を、調整板部９４が換気口９１の上方位置にくるように設けるとよい。電磁ソレノイド９３は、固定鉄心や可動鉄心、コイルバネなどを備え、可動鉄心には調整板部９４が接続されている。そして、調整板部９４を電磁ソレノイド９３のオンオフ動作に基づく可動鉄心の進退に連動して換気口９１の開口面積を拡大する拡大位置と、その開口面積を縮小する縮小位置とに切り替えられるようにしてもよい。
【００６７】
さらに、電磁ソレノイド９３に替えて、他のアクチュエータを用いて調整板部９４の駆動手段として用いることもできる。その他、換気口３５の開口面積の大きさを調整する調整手段として油圧式などであってもよい。
【００６８】
・上記実施の形態では、外壁パネル３０（パラペット部）のうち笠木４０によって覆われた部位に換気口３５を設けたが、そのような箇所に限定されることはない。
【００６９】
例えば、図５（ａ）に示すように、パラペット部３７の背面において、笠木４０の屋内側延出板部４０ｃの下端部よりも下方位置に換気口１０１を設けてもよい。このような場合には、笠木通気路４５を必ずしも確保する必要はない。
【００７０】
また、換気口１０１を塞ぐようにして換気口１０１よりも屋内側に金網１０２を設けるとよい（図５（ｂ）参照）。これにより、換気口１０１への昆虫類等の侵入を抑制することができる。この場合、上枠ランナ１００の屋内側フランジと換気口１０１との間に、取付基部１０３ａと変形板部１０３ｂとを有し形状記憶合金により構成された換気ダンパ１０３を設け、変形板部１０３ｂを外壁パネル３０の壁体内側に折れ曲がるように構成するとよい。これにより、換気口１０１の開口面積の大きさを調整しつつ、金網１０２との干渉を回避することができる。
【００７１】
また、換気口１０１の下部に、一対のスタッド３３に跨るようにして屋内側から取り付けられる水返し１０４を設けるとよい。水返し１０４は、一対のスタッド３３に固定された状態で下方に延びる取付基部１０４ａと、その取付基部１０４ａの上下方向の中途位置から壁体内側の斜め上方に一旦延び、その先端から上方に延び、さらにその上端から屋内側へ延びて形成される水返し本体部１０４ｂとを有している。これにより、換気口１０１から浸入してくる雨水を、水返し１０４によってそれ以上の壁体内通気路３６内への浸入を阻止することができる。
【００７２】
・上記実施の形態では、外壁パネル３０に開口部としての換気口３５を設け、換気ダンパ機構５５によりその換気口３５の開口面積を調整するように構成したが、必ずしも換気口３５の開口面積を調整する必要はない。すなわち、例えば換気ダンパ機構５５を壁体内通気路３６に設け、壁体内通気路３６の流路面積を調整するように構成してもよい。
【００７３】
・上記実施の形態では、可動板部６１ｂを拡大位置と縮小位置とに切替える構成としたが、これに限定されることはなく、例えば拡大位置と縮小位置との間に中間位置を設け、３段階に切替えてもよいし、無段階にして開口面積の大きさを調整してもよい。
【００７４】
・上記実施の形態では、屋根裏温度が設定温度（５０℃）以上となった場合又は屋根裏湿度が設定湿度（８０％）以上となった場合に換気口３５の開口面積を拡大するように制御したが、特定の温度及び湿度に限定されることはない。例えば、前記条件により過度に換気されるような場合には、設定温度を６０℃〜８０℃としてもよいし、設定湿度を９０％としてもよい。
【００７５】
・上記実施の形態では、温度センサ７１Ａ，７１Ｂ及び湿度センサ７２Ａ，７２Ｂを用いて、屋根裏２５の温度及び湿度を検出したが、環境センサは特定の個数や検出箇所に限定されることはない。
【００７６】
例えば、温度センサ７１Ａを用いて外気温や天井裏温度、屋根裏２５を構成する梁２２等の躯体温度などを検出し、その検出情報に基づいて換気口３５の開口面積の大きさを調整してもよい。
【００７７】
また、湿度センサ７２Ａを用いて屋外湿度を検出し、夏期において極めて屋外湿度が高い場合に換気口３５の開口面積を縮小するように調整してもよい。これにより、屋根裏２５内への湿気の浸入を抑制し、結露の発生を抑制することができる。その結果、屋根裏２５の耐久性の低下を抑制することができる。
【００７８】
・上記実施の形態では、屋根裏２５が所定以上の温度又は湿度になった際に換気口３５の開口面積を拡大するように制御装置７０により制御したが、特定の環境条件や制御処理に限定されることはない。
【００７９】
例えば、露点温度センサを用いて屋根裏２５内の露点温度を検出し、この露点温度に達しない範囲で、屋根裏２５が所定以上の温度になった際に換気口３５の開口面積を拡大するように制御し、所定未満の温度になった際に換気口３５の開口面積を縮小するように制御してもよい。これにより、夏期において屋根裏２５内に滞留している熱気を積極的に排出し室内温度を低下させることができ、冬期には室内からの生活熱を屋根裏２５内に滞留させて効率的に室内を暖房することもできる。その結果、屋根裏２５の結露の発生を抑制しつつ、室内の快適性を確保することができる。
【００８０】
・上記実施の形態では、パラペット部３７を有する外壁パネル３０を備えた建物１１を例に説明したが、例えばバルコニーの外壁を通気空間として構成してもよい。
【００８１】
・上記実施の形態では、鉄骨軸組工法により構築された建物１１を例に説明したが、他の工法で構築された建物１１について適用することもできる。例えば、木造軸組工法や枠組壁工法であってもよい。
【図面の簡単な説明】
【００８２】
【図１】本実施形態における屋根裏の換気構造を示す縦断面図。
【図２】屋根裏の換気構造を備えた外壁パネル群を示す斜視図。
【図３】制御装置で実行される演算処理の概要を示すフローチャート。
【図４】（ａ）（ｂ）屋根裏の換気構造の別例を示す縦断面図。
【図５】（ａ）屋根裏の換気構造の別例を示す縦断面図、（ｂ）屋根裏の換気構造の別例を示す正面図。
【符号の説明】
【００８３】
１１…建物、２０…建物本体、２５…屋根裏、３０…壁体としての外壁パネル、３５…換気口、３６…通気路としての壁体内通気路、３７…パラペット部、４０…笠木、４５…笠木通気路、５５…調整手段としての換気ダンパ機構、６１ｂ…開閉体としての可動板部、７０…制御装置、７１Ａ，７１Ｂ…環境センサとしての温度センサ、７２Ａ，７２Ｂ…環境センサとしての湿度センサ。
【図１】
2008285914.tif 000003
【図２】
2008285914.tif 000004
【図３】
2008285914.tif 000005
【図４】
2008285914.tif 000006
【図５】
2008285914.tif 000007